(57)【要約】【課題】会議の内容に沿ったインデックスを付与することが可能な情報処理装置を提供する。【解決手段】本開示の一態様にかかる情報処理装置（100）は、映像出力装置（200）から投影する会議の資料の内容に応じて、撮像装置（400）で撮像した会議の映像にインデックスを付与するインデックス判定手段(104)と、会議の映像にインデックスが付与された動画を生成する動画生成手段（102）と、を有することを特徴とする。【選択図】図１
2014116833.tif 000002
【特許請求の範囲】
【請求項１】
映像出力装置から投影する会議の資料の内容に応じて、撮像装置で撮像した会議の映像にインデックスを付与するインデックス判定手段と、
前記映像に前記インデックスが付与された動画を生成する動画生成手段と、
を有することを特徴とする情報処理装置。
【請求項２】
前記資料のアジェンダに記載されている内容を、前記映像にインデックスを付与する指標として設定する設定手段を有し、
前記インデックス判定手段は、
前記資料の内容が、前記指標に該当する場合に、前記映像にインデックスを付与する、ことを特徴とする請求項１記載の情報処理装置。
【請求項３】
前記インデックス判定手段は、
情報入力装置から入力された内容に応じて、前記映像にインデックスを付与する、ことを特徴とする請求項１または請求項２記載の情報処理装置。
【請求項４】
前記インデックス判定手段は、
前記情報入力装置から入力された内容が、前記指標に該当する場合に、前記映像にインデックスを付与する、ことを特徴とする請求項３記載の情報処理装置。
【請求項５】
情報処理装置と、映像出力装置と、撮像装置と、を有して構成する情報処理システムであって、
前記情報処理装置は、
前記映像出力装置から投影する会議の資料の内容に応じて、前記撮像装置で撮像した会議の映像にインデックスを付与するインデックス判定手段と、
前記映像に前記インデックスが付与された動画を生成する動画生成手段と、
を有することを特徴とする情報処理システム。
【発明の詳細な説明】
【技術分野】
【０００１】
本開示は、映像にインデックスを付与する技術に関する。
【背景技術】
【０００２】
従来、会議の議事録は、会議を視聴した議事録作成者が会議出席者の発言内容を書き留めておき、その書き留めた発言内容を基に作成していた。このような議事録作成の手間を省くため、会議中の映像を記録し、その映像を用いて議事録を作成するシステムがある。このようなシステムでは、会議中の映像にインデックスを付与しておき、会議中の映像の中から見たい映像場面をインデックスを用いて簡単に検索できるようにしている。会議中の映像にインデックスを付与する方法としては、例えば、特許文献１（特開2005-341015号公報）に開示されている。
【０００３】
特許文献１には、会議中に特定のキーワードが発言されたタイミングや、会議の資料が切り替わったタイミングで、会議中の映像にインデックスを付与する技術について開示されている。
【発明の概要】
【発明が解決しようとする課題】
【０００４】
しかし、特許文献１のように、特定のキーワードが発言されたタイミングでインデックスを付与してしまうと、会議中に議論になった場合は、その特定のキーワードが多く発言されることもあり、その場合は、短時間に多くのインデックスを付与してしまうことになる。
【０００５】
また、会議の資料が切り替わったタイミングでインデックスを付与してしまうと、資料を頻繁に切り替えてしまった場合は、短時間に多くのインデックスを付与してしまうことになる。
【０００６】
このため、特許文献１の技術では、多くのインデックスを付与してしまう状況が発生する場合があり、その場合は、会議中の映像の中から見たい映像場面を探すのが困難となる。
【０００７】
また、特許文献１の技術では、特定のキーワードが発言されたタイミングや、会議の資料が切り替わったタイミングで、インデックスを付与しているため、会議の内容に沿ったインデックスを付与することができない場合がある。その結果、ユーザは、会議終了後にインデックスを人手操作で修正する必要がある。
【０００８】
本開示の目的は、会議の内容に沿ったインデックスを付与することが可能な情報処理装置を提供することにある。
【課題を解決するための手段】
【０００９】
本開示の一態様にかかる情報処理装置は、
映像出力装置から投影する会議の資料の内容に応じて、撮像装置で撮像した会議の映像にインデックスを付与するインデックス判定手段と、
前記映像に前記インデックスが付与された動画を生成する動画生成手段と、
を有することを特徴とする。
【発明の効果】
【００１０】
本開示の一態様によれば、会議の内容に沿ったインデックスを付与することができる。
【図面の簡単な説明】
【００１１】
【図１】本実施形態の情報処理システムのシステム構成例を示す図である。
【図２】情報処理システムの一連の処理動作例を示す図である。
【図３】会議中の映像にインデックスが付与された動画の構成例を示す図である。
【図４】会議の資料の内容に応じて会議中の映像にインデックスを付与する処理動作例を示す図である。
【図５】資料のアジェンダの構成例を示す図である。
【図６】資料の１章の最初のページの構成例を示す図である。
【図７】章毎に発表者名が記載されたアジェンダの構成例を示す図である。
【図８】章、節に区分されたアジェンダの構成例を示す図である。
【発明を実施するための形態】
【００１２】
（本開示の一態様にかかる情報処理システムの実施形態の概要）
まず、図１を参照しながら、本開示の一態様にかかる情報処理システムの実施形態の概要について説明する。図１は、本実施形態の情報処理システムのシステム構成例を示す図である。
【００１３】
本開示の一態様にかかる情報処理システムは、情報処理装置100と、映像出力装置200と、撮像装置400と、を有して構成する情報処理システムである。情報処理装置100は、図１に示すサーバ100が機能する。
【００１４】
本開示の一態様にかかる情報処理装置100は、インデックス判定手段104と、動画生成手段102と、を有して構成する。インデックス判定手段104は、インデックス判定部104が機能する。動画生成手段102は、動画生成部102が機能する。
【００１５】
インデックス判定手段104は、映像出力装置200から投影する会議の資料の内容に応じて、撮像装置400で撮像した会議の映像にインデックスを付与する。動画生成手段102は、会議の映像にインデックスが付与された動画を生成する。
【００１６】
本開示の一態様にかかる情報処理装置100は、会議の資料の内容に応じて会議の映像に対してインデックスを付与することにしている。これにより、会議の内容に沿ったインデックスを付与することができる。また、会議の内容に沿ってインデックスを付与するため、無駄なインデックスを付与することを防止できる。その結果、インデックスを用いて、会議の映像の中から、見たい映像場面をすぐに検索することができる。以下、添付図面を参照しながら、本開示の一態様にかかる情報処理システムの実施形態について詳細に説明する。
【００１７】
＜情報処理システムのシステム構成例＞
まず、図１を参照しながら、本実施形態の情報処理システムのシステム構成例について説明する。図１は、本実施形態の情報処理システムのシステム構成例を示す図である。
【００１８】
本実施形態の情報処理システムは、サーバ100、映像出力装置200、情報入力装置300、撮像装置400、ユーザ端末500を有して構成する。サーバ100、映像出力装置200、情報入力装置300、撮像装置400、ユーザ端末500は、ネットワークNWを介して接続しており、互いに通信可能になっている。
【００１９】
サーバ100は、クラウドとして使用し、会議などで使用する各種情報を記憶したり、各種デバイス機器を制御したりする。デバイス機器としては、映像出力装置200、情報入力装置300、撮像装置400があげられる。本実施形態のサーバ100は、制御部101、動画生成部102、情報記憶部103、インデックス判定部104、OCR処理部105を有して構成する。
【００２０】
制御部101は、映像出力装置200、情報入力装置300、撮像装置400、ユーザ端末500の各デバイス機器と各種情報を送受信する。
【００２１】
動画生成部102は、インデックス判定部104からの指示により、撮像装置400で撮像した会議中の映像に対してインデックスを付与する。そして、インデックスを付与した映像を基に、会議中の映像の動画を生成する。
【００２２】
情報記憶部103は、動画生成部102が生成した会議中の映像の動画を記憶する。
【００２３】
インデックス判定部104は、映像出力装置200から投影する資料の内容を基に、撮像装置400で撮像した会議中の映像に対してインデックスを付与するか否かを判定する。また、情報入力装置300から入力された情報を基に、撮像装置400で撮像した会議中の映像に対してインデックスを付与するか否かを判定する。インデックス判定部104は、インデックスを付与する場合は、動画生成部102にインデックスを追加する指示を行う。インデックス判定部104は、動画生成部102に追加指示を行うことで、撮像装置400で撮像した会議の映像に対してインデックスを付与することができる。
【００２４】
OCR処理部105は、ユーザ端末500から送信される会議の資料にOCR処理する。また、情報入力装置300から送信される情報にOCR処理する。OCR処理後の画像は、その画像の中の文字を検索することができる。
【００２５】
映像出力装置200は、サーバ100から送信される会議の資料を投影する。映像出力装置200としては、例えば、プロジェクタがあげられる。プロジェクタは、サーバ100から送信される会議の資料をスクリーンに投影する。
【００２６】
情報入力装置300は、情報入力装置300に入力された各種情報をサーバ100に送信する。情報入力装置300としては、例えば、電子黒板があげられる。電子黒板は、ホワイトボード上に記載された内容をキャプチャし、そのキャブチャした画像をサーバ100に送信する。
【００２７】
撮像装置400は、会議中の映像を撮像し、サーバ100に送信する。撮像装置400としては、例えば、Webカメラがあげられる。Webカメラは、会議中の動画映像を撮像し、その撮像した動画映像をサーバ100に送信する。
【００２８】
ユーザ端末500は、各種情報をサーバ100に設定する。また、会議の資料をサーバ100に送信する。ユーザ端末500としては、ノートPCがあげられる。
【００２９】
＜情報処理システムの処理動作例＞
次に、図２を参照しながら、情報処理システムの一連の処理動作例について説明する。図２は、情報処理システムの一連の処理動作例を示す図である。
【００３０】
会議で資料を発表するユーザは、ユーザ端末500を操作し、サーバ100にログインする（ステップS1）。
【００３１】
また、ユーザは、ユーザ端末500を操作し、会議で使用する撮像装置400、映像出力装置200、情報入力装置300の各デバイス機器に接続する。そして、各デバイス機器400、200、300がサーバ100と接続するための接続情報を各デバイス機器400、200、300に送信する（ステップS2〜S4）。接続情報としては、サーバ100のURLなどがあげられる。これにより、各デバイス機器400、200、300は、サーバ100に接続することができる。
【００３２】
また、ユーザは、ユーザ端末500を操作し、撮像装置400、映像出力装置200、情報入力装置300のデバイス情報をサーバ100に登録する（ステップS5）。デバイス情報としては、IPアドレスなどがあげられる。これにより、撮像装置400、映像出力装置200、情報入力装置300の各デバイス機器と、サーバ100と、の間で各種情報の送受信を行うことができる。
【００３３】
サーバ100は、ユーザがサーバ100にログインした際のログイン情報と共に、撮像装置400、映像出力装置200、情報入力装置300のデバイス情報を関連付けて記憶する。これにより、サーバ100は、サーバ100にログインしたユーザが会議で使用しているデバイス機器400、200、300を把握することができる。
【００３４】
次に、ユーザは、ユーザ端末500を操作し、会議の開始通知をサーバ100に送信する（ステップS6）。
【００３５】
サーバ100の制御部101は、会議の開始通知をユーザ端末500から受け付けた場合に、撮像装置400に対して動画送信要求を送信する（ステップS7）。
【００３６】
撮像装置400は、サーバ100から動画送信要求を受け付けた場合に、会議中の映像の撮像を開始する。撮像装置400は、その撮像した会議中の映像をサーバ100に送信する（ステップS8）。サーバ100の制御部101は、撮像装置400から受信した会議中の映像を動画生成部102に送信する（ステップS9）。これにより、動画生成部102は、撮像装置400で撮像した会議中の映像の動画を生成することができる。
【００３７】
次に、ユーザは、ユーザ端末500を操作し、映像出力装置200から投影する会議の資料をサーバ100に送信する（ステップS10）。
【００３８】
サーバ100の制御部101は、ユーザ端末500から会議の資料を受け付けた場合に、映像出力装置200から投影する会議の資料が切り替わった旨（但し、最初は、会議の資料が新規である旨）をインデックス判定部104に通知する。また、ユーザ端末500から受信した会議の資料をインデックス判定部104に送信する（ステップS11）。制御部101は、会議の資料が切り替わった旨、会議の資料が新規である旨をイベント名としてインデックス判定部104に通知する。
【００３９】
インデックス判定部104は、制御部101から受け付けた会議の資料をOCR処理部105に送信すると共に、OCR処理の実行指示を行い（ステップS12）、OCR処理部105で会議の資料をOCR処理する。これにより、インデックス判定部104は、会議の資料の中の文字を検索することができる。インデックス判定部104は、OCR処理部105でOCR処理したOCR結果を取得する（ステップS13）。
【００４０】
インデックス判定部104は、OCR結果を基に、会議の資料がインデックスとなるか否かを判定し、インデックスとなる場合は、動画生成部102にインデックスの追加指示を行う（ステップS14）。例えば、インデックス判定部104は、インデックスと判定する指標を予め設定して管理する。そして、OCR結果の文字と、予め設定して管理した指標と、を比較し、OCR結果の文字が指標に該当する場合は、会議の資料がインデックスとなると判定する。インデックス判定部104は、会議の資料がインデックスとなると判定した場合は、インデックスの追加指示を行う。インデックスの追加指示を行う場合は、インデックスを付与する時間、イベント名、指標に該当する文字、を動画生成部102に送信する。指標に該当する文字は、インデックスを付与する際のタグ名となる。イベント名は、制御部101から通知されたイベント名であり、例えば、会議の資料が切り替わった旨、会議の資料が新規である旨である。
【００４１】
これにより、動画生成部102は、撮像装置400で撮像した会議中の映像に対してインデックスを付与することになる。インデックスを付与する場合は、例えば、図３に示すように、時間とタグ名とが表記されたインデックスを付与する。この場合、撮像装置400で撮像した会議中の映像の一部に会議の資料を追加したり、会議中の映像の間に会議の資料を全面画像で追加することも可能である。また、会議の資料をサムネイルとしてタグに付与することも可能である。
【００４２】
会議の資料を全面に表示するようにしたり、会議の資料をサムネイルとしてタグに付与することで、インデックスした場面を把握し易くすることができる。
【００４３】
また、制御部101は、映像出力装置200に資料を送信し（ステップS15）、映像出力装置200から資料を投影する（ステップS16）。これにより、会議の資料を映像出力装置200から投影することができる。
【００４４】
また、会議に参加しているユーザは、会議中に情報入力装置300に入力した内容に対してキャプチャの実行指示を行う（ステップS17）。情報入力装置300は、キャプチャの実行指示を受け付けた場合に、情報入力装置300に入力された内容をキャプチャし、そのキャプチャした画像をサーバ100に送信する（ステップS18）。これにより、サーバ100は、情報入力装置300でキャプチャした画像を取得することができる。
【００４５】
サーバ100の制御部101は、情報入力装置300からキャプチャ画像を受信した場合に、インデックス判定部104に画像がキャプチャされた旨を通知すると共に、キャプチャ画像をインデックス判定部104に送信する（ステップS19）。制御部101は、画像がキャプチャされた旨をイベント名としてインデックス判定部104に通知する。
【００４６】
インデックス判定部104は、制御部101から受け付けたキャプチャ画像をOCR処理部105に送信すると共に、OCR処理の実行指示を行い（ステップS20）、OCR処理部105でキャプチャ画像をOCR処理する。これにより、インデックス判定部104は、キャプチャ画像の中の文字を検索することができる。インデックス判定部104は、OCR処理部105でOCR処理したOCR結果を取得する（ステップS21）。
【００４７】
インデックス判定部104は、OCR結果を基に、キャプチャ画像がインデックスとなるか否かを判定し、インデックスとなる場合は、動画生成部102にインデックスの追加指示を行う（ステップS22）。例えば、インデックス判定部104は、インデックスと判定する指標を予め設定して管理する。そして、OCR結果の文字と、指標と、を比較し、OCR結果の文字が指標に該当する場合は、キャプチャ画像がインデックスとなると判定する。インデックス判定部104は、キャプチャ画像がインデックスとなると判定した場合は、インデックスの追加指示を行う。インデックスの追加指示を行う場合は、インデックスを付与する時間、イベント名、指標に該当する文字、を動画生成部102に送信する。指標に該当する文字は、インデックスを付与する際のタグ名となる。イベント名は、制御部101から通知されたイベント名であり、例えば、画像がキャプチャされた旨である。
【００４８】
これにより、動画生成部102は、撮像装置400で撮像した会議中の映像に対してインデックスを付与することになる。この場合、撮像装置400で撮像した会議中の映像の一部にキャプチャ画像を追加したり、会議中の映像の間にキャプチャ画像を全面画像で追加することも可能である。また、キャプチャ画像をサムネイルとしてタグに付与することも可能である。
【００４９】
情報入力装置300でキャプチャされたキャプチャ画像を全面に表示するようにしたり、キャプチャ画像をサムネイルとしてタグに付与することで、インデックスした場面を把握し易くすることができる。
【００５０】
動画生成部102は、会議中の映像にインデックスを付与した動画を情報記憶部103に記憶する。これにより、サーバ100は、図３に示すように、会議中の映像にインデックスが付与された動画を作成し、その作成した動画を記憶することができる。図３は、会議中の映像にインデックスが付与された動画の構成例を示している。図３では、インデックスが追加された時間と、追加されたタグ名と、を示している。
【００５１】
情報記憶部103に記憶された動画を再生する場合は、例えば、ユーザ端末500を操作し、サーバ100にログインし、情報記憶部103に記憶された動画をユーザ端末500の表示部に表示する。この場合、図３に示すように、動画の再生時間の途中に『時間』と『タグ名』とが記載されたインデックスが表示される。図３では、例えば、『2:10』という時間と『１．はじめに』というタグ名とが記載されたインデックスが表示されている。ユーザがユーザ端末500を操作し、任意のインデックスを選択すると、その選択したインデックスの時間から動画を再生することができる。これにより、ユーザは、会議の映像の中で見たい映像場面をインデックスを用いて簡単に検索して視聴することができる。
【００５２】
＜インデックスの付与方法例＞
次に、図４を参照しながら、会議の資料の内容に応じて会議中の映像にインデックスを付与する方法例について説明する。図４は、会議の資料の内容に応じて会議中の映像にインデックスを付与する処理動作例を示す図である。
【００５３】
会議の資料を発表するユーザは、ユーザ端末500を操作し、会議の資料をサーバ100に送信する（ステップA1）。ユーザは、資料の中で表紙のページをサーバ100に送信する。サーバ100の制御部101は、ユーザ端末500から受け付けた資料を映像出力装置200に送信し（ステップA2）、映像出力装置200から資料を投影する（ステップA3）。これにより、映像出力装置200は、表紙のページを投影することになる。
【００５４】
また、制御部101は、会議の資料をインデックス判定部104に送信する（ステップA4）。インデックス判定部104は、制御部101から受け付けた会議の資料をOCR処理部105でOCR処理し、OCR結果をOCR処理部105から取得する（ステップA5、A6）。インデックス判定部104は、この状態においては、資料の中でアジェンダのページをユーザから未だ受け付けていないため、インデックスと判定する指標を設定していない。このため、インデックス判定部104は、OCR結果の文字と、指標と、を比較することができない。
【００５５】
次に、ユーザは、ユーザ端末500を操作し、会議の資料をサーバ100に送信する（ステップB1）。ユーザは、資料の中でアジェンダのページをサーバ100に送信する。サーバ100の制御部101は、ユーザ端末500から受け付けた資料を映像出力装置200に送信し（ステップB2）、映像出力装置200から資料を投影する（ステップB3）。これにより、映像出力装置200は、アジェンダのページを投影することになる。
【００５６】
また、制御部101は、会議の資料をインデックス判定部104に送信する（ステップB4）。インデックス判定部104は、制御部101から受け付けた会議の資料をOCR処理部105でOCR処理し、OCR結果をOCR処理部105から取得する（ステップB5、B6）。インデックス判定部104は、この状態においては、資料の中でアジェンダのページを受け付けるため、アジェンダのページの内容を会議構成として記録し、インデックスと判定する指標として設定する（ステップB7）。
【００５７】
アジェンダのページには、会議の一連の構成内容が記載されている。このため、アジェンダのページの内容を会議構成として記録することで、インデックスと判定する指標を設定することができる。
【００５８】
例えば、図５に示すようなアジェンダのページであれば、“１．はじめに”、“２．○×とは”、…、“８．おわりに”、という文字列を会議構成として記録する。“１．はじめに”、“２．○×とは”、…、“８．おわりに”、の文字列は、各行の最初の文字列を参照し、各行に順番に並ぶ数字、若しくは、同じ記号が存在するなどを解析することで各行の文字列を区分することができる。図５の場合は、各行に順番に並ぶ数字“１．”、“２．”、…、“８．”を解析することで各行の文字列を区分し、章を構成する文字列として記録することができる。
【００５９】
次に、ユーザは、ユーザ端末500を操作し、会議の資料をサーバ100に送信する（ステップC1）。ユーザは、資料の中で１章の最初のページをサーバ100に送信する。サーバ100の制御部101は、ユーザ端末500から受け付けた資料を映像出力装置200に送信し（ステップC2）、映像出力装置200から資料を投影する（ステップC3）。これにより、映像出力装置200は、１章の最初のページを投影することになる。
【００６０】
また、制御部101は、会議の資料をインデックス判定部104に送信する（ステップC4）。インデックス判定部104は、制御部101から受け付けた会議の資料をOCR処理部105でOCR処理し、OCR結果をOCR処理部105から取得する（ステップC5、C6）。インデックス判定部104は、この状態においては、インデックスと判定する指標を設定している。このため、インデックス判定部104は、OCR結果の文字と、指標と、を比較し、インデックスを付与するか否かを判定する（ステップC7）。１章の最初のページには、例えば、図６に示すように、“１．はじめに”という文字が記載されている。このため、OCR結果の文字には、“１．はじめに”という指標が含まれているため、インデックスを付与すると判定する。この場合、インデックス判定部104は、動画生成部102にインデックスの追加指示を行う（ステップC8）。インデックスの追加指示を行う場合は、インデックスを付与する時間、イベント名、指標に該当する文字、を動画生成部102に送信する。指標に該当する文字は、タグ名となる。
【００６１】
これにより、動画生成部102は、撮像装置400で撮像した会議中の映像に対してインデックスを付与することになる。この場合、タグ名は、“１．はじめに”となる。
【００６２】
インデックス判定部104は、指標として記録した会議構成の最後の文字まで上記処理を繰り返す。例えば、図５に示すアジェンダのページの内容を基に、指標として記録した会議構成は、“１．はじめに”、“２．○×とは”、…、“８．おわりに”である。このため、次は、OCR結果の文字と、２つ目の指標である“２．○×とは”と、を比較する。また、最後は、OCR結果の文字と、最後の指標である“８．おわりに”と、を比較する。インデックス判定部104は、OCR結果の文字と、最後の指標である“８．おわりに”と、を比較するまで上記処理を繰り返し、会議中の映像に対するインデックスの付与を終了する。これにより、サーバ100は、会議の資料の内容に応じて、会議中の映像にインデックスを付与し、そのインデックスが付与された会議の動画を生成することができる。
【００６３】
＜本実施形態の情報処理システムの作用・効果＞
このように、本実施形態の情報処理システムを構成するサーバ100は、映像出力装置200から投影する会議の資料の内容に応じて、撮像装置400で撮像した会議の映像にインデックスを付与する。そして、会議の映像にインデックスが付与された動画を生成する。これにより、会議の内容に沿ったインデックスを付与することができる。また、会議の内容に沿ってインデックスを付与するため、無駄なインデックスを付与することを防止できる。その結果、インデックスを用いて、会議の映像の中から、見たい映像場面をすぐに検索することができる。
【００６４】
また、アジェンダの会議構成からインデックスを付与するキーワードを抽出するため、会議の内容に沿ったインデックスを付与することができる。会議構成とは、例えば、図５に示す“１．はじめに”、“２．○×とは”、…、“８．おわりに”、という文字列を意味する。これにより、会議の構成の境目にインデックスを付与することになるため、インデックスを用いて見たい場面を容易に検索することができる。
【００６５】
また、本実施形態の情報処理システムを構成するサーバ100は、情報入力装置300から入力された内容に応じて、撮像装置400で撮像した会議の映像にインデックスを付与する。このため、会議の映像に対し、会議の内容に沿ったインデックスを更に付与することができる。
【００６６】
なお、上述した実施形態では、図３に示すように、アジェンダに記載されていた会議構成（例えば、１．はじめに）をインデックスの情報として付与している。しかし、会議の発表者の氏名をインデックスの情報として付与することも可能である。会議の発表者の氏名をインデックスの情報として付与することで、インデックスの情報が増えるため、インデックスが付与された映像場面を見るか否かを判断し易くすることができる。
【００６７】
また、会議の各章毎に会議の発表者が異なる場合は、図７に示すように、発表者の氏名をアジェンダのページに記載しておき、その氏名をインデックスの情報として付与することも可能である。例えば、アジェンダに氏名を書くフォーマットを予め決めておくことで、そのフォーマットに記載された氏名をインデックス情報として付与することが可能である。例えば、図７の場合は、行の最後の括弧内に記載された氏名をインデックスの情報として付与するようにフォーマットを予め決めておくことになる。
【００６８】
これにより、行の最後の括弧と、その前の文字列と、で文字を区分けし、“１．はじめに”というタグ名を持つインデックスに“理工太郎”という氏名の情報を追加することができる。また、“２．○×とは”というタグ名を持つインデックスに“理工次郎”という氏名の情報を追加することができる。
【００６９】
また、図８に示すように、アジェンダのページに細かい会議構成が記載されている場合は、そのアジェンダのページに記載されている細かい単位の会議構成でインデックスを付与することも可能である。例えば、『前の行と異なる記号を利用している』、『行の最初にスペースが存在する』の２つの条件のうち、両方、若しくはどちらか一方の条件を満足した場合に、章よりも細かい単位の節と判断するようにすることも可能である。これにより、アジェンダのページの内容を章と、節と、に区分し、インデックスと判定する指標として設定することができる。図８では、“１．はじめに”、“２．○×とは”は、章とし、“２．１．○×の歴史”は、節として区分し、インデックスと判定する指標として設定することができる。アジェンダのページに記載されている細かい単位の会議構成でインデックスを付与することで、会議の映像に対して、より細かい単位でインデックスを付与することができる。
【００７０】
なお、アジェンダのページに記載されている会議構成においてどの階層までインデックスを付与するかを設定できるようにすることも可能である。例えば、ユーザがユーザ端末500を操作し、図２に示すステップS1のログインの処理動作〜ステップS6の開始通知の処理動作の間で、どの階層までインデックスを付与するかを設定することが可能である。この場合は、サーバ100は、ユーザ端末500の表示部に、階層設定用の画面（例えば、インデックスの階層が選択できる画面）を表示する。そして、ユーザは、ユーザ端末500を操作し、どの階層までインデックスを付与するかを設定する。この設定情報は、サーバ100側でユーザ単位で管理する。これにより、アジェンダのページに記載されている会議構成において、章までインデックスを付与したり、節までインデックスを付与したりするなどの階層設定を行うことができる。
【００７１】
なお、図４では、映像出力装置200から投影する会議の資料の内容に応じて会議中の映像にインデックスを付与する処理動作例を示している。しかし、情報入力装置300から入力される内容に応じて会議中の映像にインデックスを付与する場合も、図４と同様に行うことになる。この場合は、図４の処理でインデックスと判定する指標として設定したアジェンダの内容を用いて、情報入力装置300から入力される内容がインデックスとなるか否かを判定することになる。
【００７２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７３】
例えば、上述する実施形態では、サーバ100は、制御部101、動画生成部102、情報記憶部103、インデックス判定部104、OCR処理部105を有して構成し、サーバ100をクラウドとして使用している。しかし、制御部101、動画生成部102、情報記憶部103、インデックス判定部104、OCR処理部105の機能を複数のサーバで実現することも可能である。また、各機能を個別に有する装置で情報処理システムを構成することも可能である。即ち、制御装置101、動画生成装置102、情報記憶装置103、インデックス判定装置104、OCR処理装置105がネットワークNWに接続した情報処理システムの構成にすることも可能である。
【００７４】
また、本実施形態において会議とは、会社などで関係者が集まって行うものだけでなく、講演、イベントなど、ある事柄について発表することも意味する。
【００７５】
また、上記実施形態の情報処理システムを構成する各装置における制御動作は、ハードウェア、ソフトウェア、あるいは、両者の複合構成を用いて実行することも可能である。
【００７６】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００７７】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００７８】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００７９】
また、上記実施形態の情報処理システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００８０】
１００    サーバ
１０１    制御部
１０２    動画生成部
１０３    情報記憶部
１０４    インデックス判定部
１０５    OCR処理部
２００    映像出力装置
３００    情報入力装置
４００    撮像装置
５００    ユーザ端末
【先行技術文献】
【特許文献】
【００８１】
【特許文献１】特開２００５−３４１０１５号公報
【図１】
2014116833.tif 000003
【図２】
2014116833.tif 000004
【図３】
2014116833.tif 000005
【図４】
2014116833.tif 000006
【図５】
2014116833.tif 000007
【図６】
2014116833.tif 000008
【図７】
2014116833.tif 000009
【図８】
2014116833.tif 000010